(57)【要約】【課題】絵を含む情報伝達媒体の絵を使用してユーザー独自の画像の作成が容易に行える画像作成支援システムを提供すること。【解決手段】本画像作成支援システムは、絵を含む情報伝達媒体又はその一部に関連づけて用意されたデジタルコンテンツ情報を、前記情報伝達媒体またはその一部と対応付けられた媒体識別ＩＤに関連づけて記憶するデジタルコンテンツ情報記憶部と、所与の情報伝達媒体に対応付けて用意された無線タグが送信した媒体識別ＩＤに基づき当該媒体識別ＩＤに関連づけて記憶されたデジタルコンテンツ情報を読み出し、当該デジタルコンテンツ情報に基づきデジタルコンテンツ画像を表示するための制御を行うデジタルコンテンツ画像表示制御部と、作成指示入力に基づきデジタルコンテンツ画像を用いてユーザー作成画像を生成するユーザー作成画像生成処理を行うユーザー作成画像生成処理部と、を含む。【選択図】図１９
2008129736.tif 000002
【特許請求の範囲】
【請求項１】
画像作成支援システムであって、
絵を含む情報伝達媒体又はその一部に関連づけて用意されたデジタルコンテンツ情報を、前記情報伝達媒体またはその一部と対応付けられた媒体識別ＩＤに関連づけて記憶するデジタルコンテンツ情報記憶部と、
所与の情報伝達媒体に対応付けて用意された無線タグが送信した媒体識別ＩＤに基づき当該媒体識別ＩＤに関連づけて記憶されたデジタルコンテンツ情報を読み出し、当該デジタルコンテンツ情報に基づきデジタルコンテンツ画像を表示するための制御を行うデジタルコンテンツ画像表示制御部と、
作成指示入力に基づきデジタルコンテンツ画像を用いてユーザー作成画像を生成するユーザー作成画像生成処理を行うユーザー作成画像生成処理部と、
を含むことを特徴とする画像作成支援システム。
【請求項２】
請求項１において、
所与の情報伝達媒体に対応付けて用意された無線タグから発信された媒体識別ＩＤを受信する媒体識別ＩＤ受信部を
さらに含むことを特徴とする画像作成支援システム。
【請求項３】
請求項１乃至２のいずれかにおいて、
前記デジタルコンテンツ情報記憶部は、
情報伝達媒体である本の複数の箇所のそれぞれに関連づけて用意されたデジタルコンテンツ情報を、前記本と該当箇所に対応付けられた媒体識別ＩＤに関連づけて記憶し、
前記デジタルコンテンツ画像表示制御部は、
本の複数の箇所のそれぞれに対応付けて用意された媒体識別ＩＤに基づき、当該媒体識別ＩＤに関連づけて記憶されたデジタルコンテンツ情報を読み出し、当該デジタルコンテンツ情報に基づきデジタルコンテンツ画像を表示するための制御を行う含むことを特徴とする画像作成支援システム。
【請求項４】
請求項１乃至３のいずれかにおいて、
前記デジタルコンテンツ情報記憶部は、
情報伝達媒体である本の複数の箇所のそれぞれに関連づけて用意されたデジタルコンテンツ情報として、各箇所に対応して用意された背景デジタルコンテンツ情報を記憶し、
前記デジタルコンテンツ画像表示制御部は、
受信した媒体識別ＩＤに基づき当該媒体識別ＩＤに関連づけて記憶された背景デジタルコンテンツ情報を読み出し、当該背景デジタルコンテンツ情報に基づき背景画像を生成して表示する制御を行うことを特徴とする画像作成支援システム。
【請求項５】
請求項２乃至４のいずれかにおいて、
前記デジタルコンテンツ画像表示制御部は、
情報伝達媒体である本の異なる箇所を特定するための複数の異なる媒体識別ＩＤを受信した場合には、複数の箇所にかんして予め設定された優先順位に従って媒体識別ＩＤを選択して、選択した媒体識別ＩＤに関連づけて記憶されたデジタルコンテンツ情報を読み出し、当該デジタルコンテンツ情報に基づきデジタルコンテンツ画像を表示するための制御を行うことを特徴とする画像作成支援システム。
【請求項６】
請求項１乃至５のいずれかにおいて、
前記デジタルコンテンツ画像表示制御部は、
複数の異なる媒体識別ＩＤを受信した場合には、複数の媒体識別ＩＤのそれぞれの媒体識別ＩＤに関連づけて記憶された複数のデジタルコンテンツ情報を読み出し、当該デジタルコンテンツ情報に基づきデジタルコンテンツ画像を表示するための制御を行うことを特徴とする画像作成支援システム。
【請求項７】
請求項１乃至６のいずれかにおいて、
デジタルコンテンツ情報記憶部は、
前記デジタルコンテンツ情報に関連づけて配置時デフォルト情報を記憶し、
ユーザー作成画像生成処理部は、
前記配置時デフォルト情報に基づき、対応するデジタルコンテンツ画像をユーザー作成画像領域に配置して、ユーザー作成画像を生成することを特徴とする画像作成支援システム。
【請求項８】
画像作成支援をおこなうためのプログラムであって、
絵を含む情報伝達媒体又はその一部に関連づけて用意されたデジタルコンテンツ情報を、前記情報伝達媒体またはその一部と対応付けられた媒体識別ＩＤに関連づけて記憶するデジタルコンテンツ情報記憶部と、
所与の情報伝達媒体に対応付けて用意された無線タグが送信した媒体識別ＩＤに基づき当該媒体識別ＩＤに関連づけて記憶されたデジタルコンテンツ情報を読み出し、当該デジタルコンテンツ情報に基づきデジタルコンテンツ画像を表示するための制御を行うデジタルコンテンツ画像表示制御部と、
作成指示入力に基づきデジタルコンテンツ画像を用いてユーザー作成画像を生成するユーザー作成画像生成処理を行うユーザー作成画像生成処理部と、
してコンピュータを機能させることを特徴とするプログラム。
【請求項９】
コンピュータ読み取り可能な情報記憶媒体であって、請求項８に記載のプログラムが記憶されていることを特徴とする情報記憶媒体。
【請求項１０】
画像作成支援システムを制御するための制御方法であって、
絵を含む情報伝達媒体又はその一部に関連づけて用意されたデジタルコンテンツ情報を、前記情報伝達媒体またはその一部と対応付けられた媒体識別ＩＤに関連づけて記憶部に記憶させる行程と、
所与の情報伝達媒体に対応付けて用意された無線タグが送信した媒体識別ＩＤに基づき当該媒体識別ＩＤに関連づけて記憶されたデジタルコンテンツ情報を読み出し、当該デジタルコンテンツ情報に基づきデジタルコンテンツ画像を表示するための制御を行う行程と、
作成指示入力に基づきデジタルコンテンツ画像を用いてユーザー作成画像を生成するユーザー作成画像生成処理を行う行程と、
を含むことを特徴とする画像作成支援システムの制御方法。
【発明の詳細な説明】
【技術分野】
【０００１】
本発明は、画像作成支援システム、プログラム及び情報記憶媒体に関する。
【背景技術】
【０００２】
従来から予め用意されたデジタルコンテンツ画像を画面上の作業領域にドロップ＆ドラッグすることによりユーザーが画像を作成したり、編集したりする画像作成／編集システムが知られている。
【特許文献１】特開平５−１２０４００号公報
【発明の開示】
【発明が解決しようとする課題】
【０００３】
デジタルコンテンツ画像を編集してユーザーが世界に一冊しか存在しない、ユーザー個人の絵本等を作成することについては高いニーズがあるが、一般的な画像作成／編集システムを用いて絵本を作るとなると、高度な技量が必要となり、老若男女が誰もが簡単にできるというわけではない。
【０００４】
また既存の絵本等に親しむこどもたちが、これらをまねて、自分でも絵本を作ってみたいと考えても、一般的な画像作成／編集システムでは困難である。
【０００５】
本発明は、上記のような点に鑑みてなされたものであって、その目的は、絵を含む情報伝達媒体の絵を使用してユーザー独自の画像の作成が容易に行える画像作成支援システムを提供することである。
【課題を解決するための手段】
【０００６】
（１）本発明は、
画像作成支援システムであって、
絵を含む情報伝達媒体又はその一部に関連づけて用意されたデジタルコンテンツ情報を、前記情報伝達媒体またはその一部と対応付けられた媒体識別ＩＤに関連づけて記憶するデジタルコンテンツ情報記憶部と、
所与の情報伝達媒体に対応付けて用意された無線タグが送信した媒体識別ＩＤに基づき当該媒体識別ＩＤに関連づけて記憶されたデジタルコンテンツ情報を読み出し、当該デジタルコンテンツ情報に基づきデジタルコンテンツ画像を表示するための制御を行うデジタルコンテンツ画像表示制御部と、
作成指示入力に基づきデジタルコンテンツ画像を用いてユーザー作成画像を生成するユーザー作成画像生成処理を行うユーザー作成画像生成処理部と、
を含むことを特徴とする。
【０００７】
また本発明は、上記各部を実現するためのプログラムに関係する。また本発明は、コンピュータ読み取り可能な情報記憶媒体であって、上記各部としてコンピュータを機能させるプログラムを記憶（記録）した情報記憶媒体に関係する。
【０００８】
本画像作成支援システムでは、例えばユーザーが一連の複数の画像や絵本を作成する場合にも適用可能であるし、１枚の画像を作成する場合にも適用可能である。
【０００９】
例えば絵本に使用する画像を作成する絵本作成支援システムに適用する場合には、ユーザー作成画像生成処理部が生成したユーザー作成画像を記憶部に保存して、保存されたユーザー作成画像を用いて絵本を生成する絵本生成部を設けるようにしてもよい。絵本生成部は、ユーザー作成画像を紙媒体に印刷することにより絵本を作成するようにしてもよいし、ユーザー作成画像からデジタル絵本を作成するようにしてもよい。このようにすることでユーザー独自の絵本等を作成することも可能である。
【００１０】
絵を含む情報伝達媒体とは例えば絵本、漫画、ＤＶＤ、ビデオ等である。情報伝達媒体に関連づけて用意されたデジタルコンテンツ情報とは、例えば情報伝達媒体が絵本である場合、絵本に出てくる絵柄オブジェクト（キャラクタオブジェクトや背景オブジェクト）のデジタル画像情報等であり、情報伝達媒体の一部に関連づけて用意されたデジタルコンテンツ情報とは、絵本の所定の箇所や各頁に出てくる絵柄オブジェクト（キャラクタオブジェクトや背景オブジェクト）のデジタル画像情報等である。
【００１１】
前記情報伝達媒体と対応付けられた媒体識別ＩＤとは、同じ種類の情報伝達媒体が複数ある場合（例えば同じ絵本が複数ある場合）には、その種類に対応付るようにしてもよい。
【００１２】
媒体識別ＩＤは、情報伝達媒体又はその一部に対して一意に設定されているが、同じ絵本が複数ある場合には、複数の同じ絵本は同じ媒体識別ＩＤをもつ。
【００１３】
所与の情報伝達媒体に対応付けて用意された無線タグとは例えばＲＦＩＤ等である。無線タグは、所与の情報伝達媒体に物理的に付加する場合（例えば絵本にＲＦＩＤを付ける）でもよいし、所与の情報伝達媒体に対応付られてはいるが所与の情報伝達媒体に付随していない状態（例えば物理的には独立したタグ等）で存在してもよい。
【００１４】
本発明によれば、所与の情報伝達媒体またはその一部に対応付けて用意された無線タグから発信される媒体識別ＩＤを受信すると、所与の情報伝達媒体またはその一部に関連づけて用意されたデジタルコンテンツ画像を表示部に表示することができ、ユーザーは当該デジタルコンテンツ画像を用いて、ユーザー作成画像を作成することができる。
【００１５】
従って例えば、各種の絵本の絵柄オブジェクトに対応したデジタルコンテンツ情報を各種の絵本に対応付けられた媒体識別ＩＤに関連づけて記憶させ、絵本には当該絵本に対応付けられた媒体識別ＩＤを記憶して送信するＲＦＩＤを付加する（貼り付ける）。本システムではユーザーが選択した絵本の無線タグ（ＲＦＩＤ）が送信する媒体識別ＩＤを受信して、当該媒体識別ＩＤに対応した絵柄オブジェクトのデジタルコンテンツ画像を表示部に表示しする。ユーザーは当該デジタルコンテンツ画像を用いて、ユーザー作成画像を作成することもできる。
【００１６】
（２）また本発明に係る画像作成支援システム、プログラム及び情報記憶媒体では、
所与の情報伝達媒体に対応付けて用意された無線タグから発信された媒体識別ＩＤを受信する媒体識別ＩＤ受信部を
さらに含むことを特徴とする。
【００１７】
所与の情報伝達媒体に対応付けて用意された無線タグとは例えばＲＦＩＤ等である。媒体識別ＩＤ受信部とは、例えばＲＦＩＤリーダ等により実現できる。
【００１８】
（３）また本発明に係る画像作成支援システム、プログラム及び情報記憶媒体では、
前記デジタルコンテンツ情報記憶部は、
情報伝達媒体である本の複数の箇所のそれぞれに関連づけて用意されたデジタルコンテンツ情報を、前記本と該当箇所に対応付けられた媒体識別ＩＤに関連づけて記憶し、
前記デジタルコンテンツ画像表示制御部は、
本の複数の箇所のそれぞれに対応付けて用意された媒体識別ＩＤに基づき、当該媒体識別ＩＤに関連づけて記憶されたデジタルコンテンツ情報を読み出し、当該デジタルコンテンツ情報に基づきデジタルコンテンツ画像を表示するための制御を行う含むことを特徴とする。
【００１９】
例えば媒体識別ＩＤを本（本の種類）を特定する番号や記号と該当箇所や頁を特定する番号等で構成することにより本の複数の箇所について一意な媒体識別ＩＤを設定することができる。
【００２０】
例えば前記デジタルコンテンツ情報記憶部は、
情報伝達媒体である本の複数の頁のそれぞれに関連づけて用意されたデジタルコンテンツ情報を、前記本と該当頁に対応付けられた媒体識別ＩＤに関連づけて記憶し、
デジタルコンテンツ画像表示制御部は、
本の複数の頁のそれぞれに対応付けて用意されたコンテンツグループ識別ＩＤに基づき、当該媒体識別ＩＤに関連づけて記憶されたデジタルコンテンツ情報を読み出し、当該デジタルコンテンツ情報に基づきデジタルコンテンツ画像を表示するための制御を行うようにしてもよい。
【００２１】
このようにすることで、本の複数の箇所や各頁に対応したデジタルコンテンツ画像を表示させることができる。従って本の複数の箇所や各頁に応じてユーザー作成画像に使用するデジタルコンテンツ画像をきめ細やかに変化させることができるため、物語や絵本のストーリに基づいた画像を作成しやすい画像作成支援システムを提供することができる。
【００２２】
（４）また本発明に係る画像作成支援システム、プログラム及び情報記憶媒体では、
前記デジタルコンテンツ情報記憶部は、
情報伝達媒体である本の複数の箇所のそれぞれに関連づけて用意されたデジタルコンテンツ情報として、各箇所に対応して用意された背景デジタルコンテンツ情報を記憶し、
前記デジタルコンテンツ画像表示制御部は、
受信した媒体識別ＩＤに基づき当該媒体識別ＩＤに関連づけて記憶された背景デジタルコンテンツ情報を読み出し、当該背景デジタルコンテンツ情報に基づき背景画像を生成して表示する制御を行うことを特徴とする。
【００２３】
例えば表示部に表示される画像作成／編修用の作業領域（作業画面）に予め背景画像を表示するようにしても良い。このようにすると、白紙の状態から画像を生成する場合にくらべ、ユーザーの作業が軽減され、子供でも容易に絵本が作れるような仕組みを提供することができる。
【００２４】
（５）また本発明に係る画像作成支援システム、プログラム及び情報記憶媒体では、
前記デジタルコンテンツ画像表示制御部は、
情報伝達媒体である本の異なる箇所を特定するための複数の異なる媒体識別ＩＤを受信した場合には、複数の箇所にかんして予め設定された優先順位に従って媒体識別ＩＤを選択して、選択した媒体識別ＩＤに関連づけて記憶されたデジタルコンテンツ情報を読み出し、当該デジタルコンテンツ情報に基づきデジタルコンテンツ画像を表示するための制御を行うことを特徴とする。
【００２５】
例えば各頁毎にＲＦＩＤが貼り付けられている場合、ＲＦＩＤリーダが複数のＲＦＩＤが送信する媒体識別ＩＤを受信する可能性がある。このような場合、本発明によれば予め設定された優先順位に従って媒体識別ＩＤを選択することができる。例えば頁の大きい方を示す媒体識別ＩＤを優先する等の優先順位を設定しておくようにしてもよい。
【００２６】
このようにすると本の各頁にＲＦＩＤを貼り付けた場合でも、どの頁が対象なのか自動的に判別して、対象となる頁に対応して用意されたデジタルコンテンツ画像を表示することができる。
【００２７】
（６）また本発明に係る画像作成支援システム、プログラム及び情報記憶媒体では、
前記デジタルコンテンツ画像表示制御部は、
複数の異なる媒体識別ＩＤを受信した場合には、複数の媒体識別ＩＤのそれぞれの媒体識別ＩＤに関連づけて記憶された複数のデジタルコンテンツ情報を読み出し、当該デジタルコンテンツ情報に基づきデジタルコンテンツ画像を表示するための制御を行うことを特徴とする。
【００２８】
媒体識別ＩＤ受信部（ＲＦＩＤリーダ）は例えば同時に複数の媒体識別ＩＤを受信できる構成（物理的に複数のＲＦＩＤリーダを持っている場合）でもよいし、１つの受信機で複数の媒体識別ＩＤを受信する場合でもよい。
【００２９】
本発明によれば複数の本のそれぞれに対応して用意されたデジタルコンテンツ画像が表示されるため、複数の本のそれぞれに対応して用意されたデジタルコンテンツ画像から所望のコンテンツ画像を選択してユーザー作成画像を作成することができる。
【００３０】
従って複数の絵本の絵柄をミックスしてユーザー作成画像を作成することも可能であり、自由度の高い画像作成が可能な画像作成支援システムを提供することができる。
【００３１】
（７）また本発明に係る画像作成支援システム、プログラム及び情報記憶媒体では、
デジタルコンテンツ情報記憶部は、
前記デジタルコンテンツ情報に関連づけて配置時デフォルト情報を記憶し、
ユーザー作成画像生成処理部は、
前記配置時デフォルト情報に基づき、対応するデジタルコンテンツ画像をユーザー作成画像領域に配置して、ユーザー作成画像を生成することを特徴とする。
【００３２】
配置時デフォルト情報とは、例えば配置時の拡大又は縮小率、配置時の向き、位置等の少なくとも１つの情報を含む。
【００３３】
例えば前記デジタルコンテンツ情報の内容に応じて設定された配置時デフォルト情報を記憶するようにしても良い。
【００３４】
前記デジタルコンテンツ情報は、デジタルコンテンツ画像情報（例えばＪＰＥＧの画像情報等でもよいし、圧縮されていない画像情報等でもよい）とこれに対応した配置時デフォルト情報を含むように構成することができる。
【００３５】
そしてユーザー作成画像生成処理部は、前記デジタルコンテンツ情報に含まれた配置時デフォルト情報に基づき、当該デジタルコンテンツ画像をユーザー作成画像領域に配置するので、デジタルコンテンツ配置作業における拡大、縮小、向きや位置合わせ等の複雑な操作なしでユーザー作成画像を生成することができる。
【００３６】
例えば各デジタルコンテンツ画像をサムネイル表示する際には、実際の絵本では大きいオブジェクト（例えば山）や小さいオブジェクト（例えば花）をその比率に応じた大きさで表示することは困難で、大きいオブジェクト（例えば山）や小さいオブジェクト（例えば花）も均一の枠に収まるように表示することが多い。このような場合その大きさのまま作業画面等に配置すると大きさが不自然な画像となってしまう。
【００３７】
本発明によれば、例えば絵本等における複数のオブジェクトの大きさの割合に応じて各オブジェクトのコンテンツ情報として配置時の拡大又は縮小率に関する配置時デフォルト情報を設定しておくことができるので、ユーザーは特に意識しなくても複数のオブジェクトを違和感のない大きさで配置することができる。
【００３８】
（８）本発明は、
画像作成支援システムを制御するための制御方法であって、
絵を含む情報伝達媒体又はその一部に関連づけて用意されたデジタルコンテンツ情報を、前記情報伝達媒体またはその一部と対応付けられた媒体識別ＩＤに関連づけて記憶部に記憶させる行程と、
所与の情報伝達媒体に対応付けて用意された無線タグが送信した媒体識別ＩＤに基づき当該媒体識別ＩＤに関連づけて記憶されたデジタルコンテンツ情報を読み出し、当該デジタルコンテンツ情報に基づきデジタルコンテンツ画像を表示するための制御を行う行程と、
作成指示入力に基づきデジタルコンテンツ画像を用いてユーザー作成画像を生成するユーザー作成画像生成処理を行う行程と、
を含むことを特徴とする。
【発明を実施するための最良の形態】
【００３９】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００４０】
１．本実施の形態の構成
図１は、本実施の形態の画像作成支援システム１００の機能ブロック図の一例である。なお、本実施形態の画像作成支援システム１００は、図１の構成要素（各部）を全て含む必要はなく、その一部を省略した構成としてもよい。
【００４１】
操作部１６０は、ユーザーの操作等をデータとして入力するためのものであり、その機能は、例えばキーボードやマウスやポインティングデバイス等のハードウェアにより実現できる。
【００４２】
記憶部１７０は、処理部１１０や通信部１９６などのワーク領域となるもので、その機能はＲＡＭなどのハードウェアにより実現できる。
【００４３】
記憶部１７０は、絵を含む情報伝達媒体又はその一部に関連づけて用意されたデジタルコンテンツ情報を、前記情報伝達媒体またはその一部と対応付けられた媒体識別ＩＤに関連づけて記憶するデジタルコンテンツ情報記憶部１７２として機能する。
【００４４】
デジタルコンテンツ情報記憶部１７２は、情報伝達媒体である本の複数の箇所のそれぞれに関連づけて用意されたデジタルコンテンツ情報を、前記本と該当箇所に対応付けられた媒体識別ＩＤに関連づけて記憶するようにしてもよい。
【００４５】
デジタルコンテンツ情報記憶部１７２は、情報伝達媒体である本の複数の箇所のそれぞれに関連づけて用意されたデジタルコンテンツ情報を、前記本と該当箇所に対応付けられた媒体識別ＩＤに関連づけて記憶するようにしてもよい。
【００４６】
デジタルコンテンツ情報記憶部１７２は、デジタルコンテンツ情報に関連付けて配置時デフォルト情報を記憶するようにしてもよい。
【００４７】
また記憶部１７０は、ユーザー作成画像情報記憶部１７４として機能する。
【００４８】
情報記憶媒体１８０（コンピュータにより読み取り可能な媒体）は、プログラムやデータなどを格納するものであり、その機能は、光ディスク（ＣＤ、ＤＶＤ等）、光磁気ディスク（ＭＯ）、磁気ディスク、ハードディスク、磁気テープ、或いはメモリ（ＲＯＭ）などのハードウェアにより実現できる。
【００４９】
また情報記憶媒体１８０には、本実施形態の各部としてコンピュータを機能させるプログラムのための補助データ（付加データ）が記憶される。
【００５０】
処理部１１０は、この情報記憶媒体１８０に格納されるプログラム（データ）や情報記憶媒体１８０から読み出されたデータなどに基づいて本実施形態の種々の処理を行う。即ち情報記憶媒体１８０には、本実施形態の各部としてコンピュータを機能させるためのプログラム（各部の処理をコンピュータに実行させるためのプログラム）が記憶される。
【００５１】
表示部１９０は、本実施形態により生成された画像を出力するものであり、その機能は、ＣＲＴディスプレイ、ＬＣＤ（液晶ディスプレイ）、ＯＥＬＤ(有機ＥＬディスプレイ)、ＰＤＰ（プラズマディスプレイパネル）、タッチパネル型ディスプレイなどのハードウェアにより実現できる。
【００５２】
またディスプレイ１９０をタッチパネルディスプレイを用いることによりプレーヤがゲーム操作を行う操作入力部として機能させるようにしてもよい。タッチパネル方式としては、抵抗膜方式（４線式、５線式）、静電容量結合方式、超音波表面弾性波方式、赤外線走査方式などがある。
【００５３】
タッチパネルディスプレイ１９０を構成するディスプレイ部分は、本実施形態により生成された画像を表示出力するものであり、その機能は、ＬＣＤ（液晶表示装置）、ＣＲＴ、或いは有機ＥＬディスプレイなどにより実現できる。
【００５４】
音出力部１９２は、本実施形態により生成された音を出力するものであり、その機能は、スピーカ、或いはヘッドフォンなどのハードウェアにより実現できる。
【００５５】
音声入力部はプレーヤの音声等を入力するものであり、例えばマイクロフォン等により実現できる。
【００５６】
媒体識別ＩＤ受信部１９６は、所与の情報伝達媒体に対応付けて用意された無線タグ（ＲＦ（Ｒａｄｉｏ  Ｆｒｅｑｕｅｎｃｙ）ＩＤタグや非接触型の無線周波数識別装置（無線タグ）等）から発信された媒体識別ＩＤを受信する機能を有するものであればよく、例えば無線タグがＲＦＩＤである場合にはＲＦＩＤリーダ等により実現できる。
【００５７】
処理部１１０（プロセッサ）は、操作部１６０からの操作データやプログラムなどに基づいて、画像生成処理や生成した画像の表示制御などを行う。この処理部１１０は記憶部１７０をワーク領域として各種処理を行う。処理部１１０の機能は各種プロセッサ（ＣＰＵ、ＤＳＰ等）、ＡＳＩＣ（ゲートアレイ等）などのハードウェアや、アプリケーションプログラム、ＯＳ（例えば汎用ＯＳ等）により実現できる。
【００５８】
処理部１１０は、デジタルコンテンツ画像表示制御部１２０を含む。デジタルコンテンツ画像表示制御部１２０は、所与の情報伝達媒体に対応付けて用意された無線タグが送信した媒体識別ＩＤに基づき当該媒体識別ＩＤに関連づけて記憶されたデジタルコンテンツ情報を読み出し、当該デジタルコンテンツ情報に基づきデジタルコンテンツ画像を表示するための制御を行う。
【００５９】
処理部１１０は、ユーザー作成画像生成処理部１３０を含む。ユーザー作成画像生成処理部１３０は、作成指示入力に基づきデジタルコンテンツ画像を用いてユーザー作成画像を生成するユーザー作成画像生成処理を行う。
【００６０】
前記デジタルコンテンツ画像表示制御部１１０は、本の複数の箇所のそれぞれに対応付けて用意された媒体識別ＩＤに基づき、当該媒体識別ＩＤに関連づけて記憶されたデジタルコンテンツ情報を読み出し、当該デジタルコンテンツ情報に基づきデジタルコンテンツ画像を表示するための制御を行うようにしてもよい。
【００６１】
デジタルコンテンツ画像表示制御部１２０は、受信した媒体識別ＩＤに基づき当該媒体識別ＩＤに関連づけて記憶された背景デジタルコンテンツ情報を読み出し、当該背景デジタルコンテンツ情報に基づき背景画像を生成して表示する制御を行うようにしてもよい。
【００６２】
デジタルコンテンツ画像表示制御部１２０は、情報伝達媒体である本の異なる箇所を特定するための複数の異なる媒体識別ＩＤを受信した場合には、複数の箇所にかんして予め設定された優先順位に従って媒体識別ＩＤを選択して、選択した媒体識別ＩＤに関連づけて記憶されたデジタルコンテンツ情報を読み出し、当該デジタルコンテンツ情報に基づきデジタルコンテンツ画像を表示するための制御を行うようにしてもよい。
【００６３】
デジタルコンテンツ画像表示制御部１２０は、複数の異なる媒体識別ＩＤを受信した場合には、複数の媒体識別ＩＤのそれぞれの媒体識別ＩＤに関連づけて記憶された複数のデジタルコンテンツ情報を読み出し、当該デジタルコンテンツ情報に基づきデジタルコンテンツ画像を表示するための制御を行うようにしてもよい。
【００６４】
ユーザー作成画像生成処理部１３０は、前記デジタルコンテンツ情報に含まれた配置時デフォルト情報に基づき、当該デジタルコンテンツ画像をユーザー作成画像領域に配置して、ユーザー作成画像を生成するようにしてもよい。
【００６５】
図２、図３は、本実施の形態の画像作成支援システムの概要について説明するための図である。
【００６６】
本実施の形態では、例えば図２に示すように絵本（絵を含む情報伝達媒体の一例）１０−Ａ、１０−Ｂに関連づけて用意されたデジタルコンテンツ情報を、絵本１０−Ａ、１０−Ｂと対応付けられた媒体識別ＩＤに関連づけて記憶させておく。ここで、絵本と関連づけて用意されているデジタルコンテンツ情報とは、絵本に出てくる絵柄オブジェクト（キャラクタオブジェクトや背景オブジェクト）のデジタル画像情報等である。
【００６７】
例えば絵本Ａ（１０−Ａ）に、ａ１〜ａ７に示すような絵柄オブジェクトが使用されている場合、ａ１〜ａ７に示すような絵柄オブジェクトを表示するためのデジタル画像情報等がデジタルコンテンツ情報として用意されている。
【００６８】
そして絵本Ａ（１０−Ａ）には当該絵本と対応付けられた媒体識別ＩＤ（ここでは「Ａ」）の情報を送信するＲＦＩＤタグ２０−Ａが付加されている。例えば絵本Ａ（１０−Ａ）の裏表紙等にＲＦＩＤタグ２０−Ａを貼り付けるようにしてもよい。
【００６９】
また例えば図２に示すように絵本Ｂ（１０−Ｂ）に、ｂ１〜ｂ７に示すような絵柄オブジェクトが使用されている場合、ｂ１〜ｂ７に示すような絵柄オブジェクトを表示するためのデジタル画像情報等がデジタルコンテンツ情報として用意されている。
【００７０】
そして絵本Ｂ（１０−Ｂ）には当該絵本と対応付けられた媒体識別ＩＤ（ここでは「Ｂ」）の情報を送信するＲＦＩＤタグ２０−Ｂが付加されている。例えば絵本Ｂ（１０−Ｂ）の裏表紙等にＲＦＩＤタグ２０−Ｂを貼り付けるようにしてもよい。
【００７１】
図３の５０は本実施の形態の画像作成支援システムの画面であり、作業スペース（ユーザー作成画像領域に対応する画面）７０と編集用のコンテンツ表示領域６０を含む。また３０はＲＦＩＤリーダが搭載された本置き場である。ユーザーがＲＦＩＤタグが付加された所望の本をＲＦＩＤリーダが搭載された本置き場３０におくと絵本に付加されたＲＦＩＤタグに記憶されている媒体識別ＩＤが本置き場３０のＲＦＩＤリーダに読み取られる。そして読み取られた媒体識別ＩＤに基づき、当該媒体識別ＩＤに関連づけて記憶されたデジタルコンテンツ情報を読み出し、当該デジタルコンテンツ情報に基づき画面７０の編集用のコンテンツ表示領域６０に、当該絵本と関連づけて登録されているデジタルコンテンツ画像が表示される。
【００７２】
ＲＦＩＤはＩＤ情報を埋め込んだタグであり、微小な無線チップの耐環境性に優れた数cm程度の大きさのタグにデータを記憶し、電磁界や電波などを用いた近距離の無線通信によって、読み取り器と情報をやりとりするものである。
【００７３】
ここでＲＦＩＤリーダは、ＲＦ−ＩＤ素子に内蔵された図示しない半導体ＩＣチップに記録された情報の読み取りを行うための送受信部と、ＲＦ−ＩＤ素子と交信するためのアンテナとを備えるようにしてもよい。
【００７４】
ＲＦ−ＩＤ素子とＲＦＩＤリーダの非接触情報伝達手法は、誘導磁界結合方式でもよいし、マイクロ波等の電波による結合方式によるものでもよい。
【００７５】
図４、図５はデジタルコンテンツ情報記憶部に記憶されているデジタルコンテンツ情報について説明するための図である。
【００７６】
図４、図５はデジタルコンテンツ情報記憶部に記憶されているデジタルコンテンツ情報について説明するための図である。
【００７７】
図４の２００は媒体識別ＩＤ２１０と対応するデジタルコンテンツ識別ＩＤ２２０の対応テーブルである。媒体識別ＩＤ２１０に関連づけて当該媒体に対応するデジタルコンテンツ識別ＩＤ２２０が登録されている。デジタルコンテンツ識別ＩＤ２２０とは例えばデジタルコンテンツ情報を一意に特定可能なＩＤ等である。
【００７８】
２４０は媒体識別ＩＤ２１０「Ａ」には、デジタルコンテンツ識別ＩＤａ１〜ａ７のデジタルコンテンツ情報が対応することを示しており、２４２は媒体識別ＩＤ２１０「Ｂ」には、デジタルコンテンツ識別ＩＤｂ１〜ｂ７のデジタルコンテンツ情報が対応することを示している。
【００７９】
図５の２３０は各デジタルコンテンツ識別ＩＤ２２０に対応づけてデジタルコンテンツ情報２５０が記憶されているテーブルである。
【００８０】
デジタルコンテンツ情報２５０として、画像情報２６０と配置時フォルト情報２７０を記憶するようにしてもよい。
【００８１】
画像情報２６０は例えばＪＰＥＧの画像情報等でもよいし、圧縮されていない画像情報等でもよい。配置時デフォルト情報２７０とは、例えば配置時の拡大又は縮小率、配置時の向き、位置等の少なくとも１つの情報を含む。ここでは拡大又は縮小率に関する配置時デフォルト情報が記憶されている場合について説明する。２８０、２８２はデジタルコンテンツ識別ＩＤａ１、ａ２の画像の拡大／縮小率が基準画像に対して１倍であることを示しており、２８４はデジタルコンテンツ識別ＩＤａ３の画像の拡大／縮小率が基準画像に対して９倍であることを示している。デジタルコンテンツ識別ＩＤａ３の画像は山の絵柄であり、デジタルコンテンツ識別ＩＤａ１，ａ２の画像はキャラクタの絵柄であるが、「山」と「キャラクタ」を配置する場合その絵柄に応じた大きさで配置することが好ましい。本実施の形態では「山」と「キャラクタ」は同サイズの画像情報として記憶し、拡大／縮小率に関する配置時フォルト情報に基づいて拡大／縮小してユーザー作成画像領域に配置することで、絵柄に応じた配置を行うように構成されている。
【００８２】
図６は、絵本の複数の頁にＲＦＩＤを付加して各頁に応じたデジタルコンテンツ画像を表示する構成について説明するための図である。
【００８３】
３１０は絵本３００の第１頁に付加されているＲＦＩＤタグである。当該タグには媒体識別ＩＤ「Ａ００１」が記憶されている。３１２は絵本３００の第３頁に付加されているＲＦＩＤタグである。当該タグには媒体識別ＩＤ「Ａ００３」が記憶されている。３１４は絵本３００−１の第ｎ頁に付加されているＲＦＩＤタグである。当該タグには媒体識別ＩＤ「Ａ００ｎ」が記憶されている。各媒体識別ＩＤの「Ａ」で絵本の種類を特定し、「００ｎ」で絵本の該当頁が特定できるように設定されている。
【００８４】
図７は、絵本の複数の頁にＲＦＩＤを付加する場合の媒体識別ＩＤ２１０’と対応するデジタルコンテンツ識別Ｄ２２０’の対応テーブル２００’である。
【００８５】
同図に示すように媒体識別ＩＤ「Ａ００１」には、絵柄オブジェクトａ３、ａ４が対応付れ、媒体識別ＩＤ「Ａ００２」には、絵柄オブジェクトａ１，ａ３、ａ４が対応付れ、媒体識別ＩＤ「Ａ００ｎ」には、絵柄オブジェクトａ２，ａ５、ａ６、ａ７が対応付れている。
【００８６】
このように絵本の複数の頁や複数の箇所にＲＦＩＤを付加して各頁に応じたデジタルコンテンツ画像を表示する場合には、本の頁をめくる毎または該当箇所が開かれるたびに、図３の編集用のコンテンツ表示領域６０に表示されるデジタルコンテンツ画像が頁や該当箇所に対応して登録されているデジタルコンテンツ画像に変化する。例えば１頁目が開かれたな状態（図６の３０３−１参照）では、編集用のコンテンツ表示領域６０には絵柄ａ３，ａ４に対応したデジタルコンテンツ画像が表示され、３頁目が開かれたな状態（図６の３０３−２参照）では、編集用のコンテンツ表示領域６０には絵柄ａ１，ａ３、ａ４に対応したデジタルコンテンツ画像が表示され、ｎ頁目が開かれたな状態（図６の３０３−ｎ参照）では、編集用のコンテンツ表示領域６０には絵柄ａ２、ａ５，ａ６、ａ７に対応したデジタルコンテンツ画像が表示される。
【００８７】
ここでは図３に示すような本置き場３０は、本の左上に配置されたＲＦＩＤからの送信情報のみが読み取れるような位置及び感度のＲＦＩＤリーダが搭載されているとする。このような場合、図６に示すような複数の頁にＲＦＩＤが付加された絵本３００が本置き場３０におかれた場合について説明する。例えば１頁目が開かれた状態（図６の３０２−１参照）で本が本置き場に置かれるとＲＦＩＤリーダは、ＲＦＩＤタグ３１０から送信される媒体識別ＩＤ「Ａ００１」を受信する。
【００８８】
また例えば３頁目が開かれた状態（図６の３０２−２参照）で本が本置き場に置かれるとＲＦＩＤリーダは、ＲＦＩＤタグ３２０から送信される媒体識別ＩＤ「Ａ００１」「Ａ００２」を受信する。
【００８９】
また例えばｎ頁目が開かれた状態（図６の３０２−ｎ参照）で本が本置き場に置かれるとＲＦＩＤリーダは、ＲＦＩＤタグ３２０から送信される媒体識別ＩＤ「Ａ００１」「Ａ００２」「Ａ００ｎ」を受信する。
【００９０】
このように本の複数の異なる箇所を特定するための複数の異なる媒体識別ＩＤを受信した場合には、複数の箇所にかんして予め設定された優先順位に従って媒体識別ＩＤを選択して、選択した媒体識別ＩＤに関連づけて記憶されたデジタルコンテンツ情報を読み出し、当該デジタルコンテンツ情報に基づきデジタルコンテンツ画像を表示するための制御を行うようにしてもよい。
【００９１】
例えば例えば頁の大きい方を示す媒体識別ＩＤを優先する等の優先順位を設定しておくと、３頁目が開かれたな状態（図６の３０３−２参照）では媒体識別ＩＤ「Ａ００２」を優先して選択し、ｎ頁目が開かれたな状態（図６の３０３−ｎ参照）では媒体識別ＩＤ「Ａ００ｎ」を優先して選択することができる。
【００９２】
このようにすると本の各頁にＲＦＩＤを貼り付けた場合でも、どの頁が対象なのか自動的に判別して、対象となる頁に対応して用意されたデジタルコンテンツ画像を表示することができる。
【００９３】
図８〜図１３は、編集用のコンテンツ表示領域のデジタルコンテンツ画像を用いてユーザー作成画像を生成するユーザー作成画像生成処理について説明するための図である。
【００９４】
本実施の形態では、ユーザーは作業スペース（ユーザー作成画像領域に対応する画面）７０にユーザー作成画像を生成する。
【００９５】
図８，図９は背景に関するデジタルコンテンツ画像ａ３を作業スペース（ユーザー作成画像領域に対応する画面）７０に配置する編集処理を示す図である。図８に示すように編集用のコンテンツ表示領域６０に表示されている背景に関するデジタルコンテンツ画像ａ３を選択して、作業スペース７０上の移動位置を指定する（例えばドラッグアンドドロップする）ことで、図９に示すように選択したデジタルコンテンツ画像ａ３を作業スペース７０上の所望の位置に配置することができる。
【００９６】
図９の作業スペース上に配置されたデジタルコンテンツ画像ａ３’は、編集用のコンテンツ表示領域６０のデジタルコンテンツ画像ａ３に比べて拡大されている。本実施の形態では、デジタルコンテンツ情報に含まれた拡大／縮小に関する配置時デフォルト情報（図５の２７０参照）に基づき、拡大又は縮小して当該デジタルコンテンツ画像をユーザー作成画像領域に配置する制御を行う。
【００９７】
このようにすることで、ユーザーは特に意識しなくても複数のオブジェクトを違和感のない大きさで配置することができる。
【００９８】
図１０、図１１はキャラクタに関するデジタルコンテンツ画像ａ２を作業スペース（ユーザー作成画像領域に対応する画面）７０に配置する編集処理を示す図である。図１０に示すように編集用のコンテンツ表示領域６０に表示されているキャラクタに関するデジタルコンテンツ画像ａ２を選択して、作業スペース７０上の移動位置を指定する（例えばドラッグアンドドロップする）ことで、図１１に示すように、既に背景であるデジタルコンテンツ画像ａ３が配置された作業スペースの所望の位置に、選択したキャラクタに関するデジタルコンテンツ画像ａ２を配置することができる。
【００９９】
図１２は、デジタルコンテンツ画像が配置された作業スペース７０にユーザーが書き込みを行う処理を示す図である。
【０１００】
同図に示すように、ユーザーはポインティングデバイスやタッチペン等を文字に合わせて動かす事により、作業スペース７０上に文字や数字や絵等をかくことができる（４００参照）。なお画面がタッチパネルディスプレイで構成されている場合には、タッチパネル上におけるタッチペンの移動軌跡を検出し、検出された移動軌跡に対応した線画像を生成して表示することで書き込み処理を実現することができる。
【０１０１】
図１３はユーザー作成画像に関連して音声を入力する処理について説明するための図である。本実施の形態では、マイク１９４等により音声を入力して、入力した音声情報を、作業領域で作成したユーザー作成画像に関連づけて記憶させることができる。
【０１０２】
従って例えばユーザー作成画像を用いて電子絵本を作成する場合には、音声付きの電子絵本を作成することができる。
作成中生成したユーザー作成画像に対して入力音声を記憶させることができる。
【０１０３】
図１４は、本置き場に他の絵本をおいた場合の画面の様子について説明するための図である。本置き場の本を絵本Ａ（１０−Ａ）から絵本Ｂ（１０−Ｂ）の変更すると、編集用のコンテンツ表示領域６０い表示されるデジタルコンテンツ画像が絵本絵本Ｂ（１０−Ｂ）に対応して用意されているデジタルコンテンツ画像に変化する。他の本に対応したデジタルコンテンツ画像を用いユーザー作成画像の編集を行うことができる。
【０１０４】
図１５は、本置き場に複数の本をおいて複数の本に対応して用意されているデジタルコンテンツ画像を用いて行う様子を示した図である。
【０１０５】
同図に示すように本置き場に２冊の絵本１０−Ａ、１０−Ｂをおいた場合にはそれぞれの絵本に貼り付けられたＲＦＩＤの媒体識別ＩＤを受信する。
【０１０６】
このような場合には、複数の媒体識別ＩＤのそれぞれの媒体識別ＩＤに関連づけて記憶された複数のデジタルコンテンツ情報ａ１〜ａ７、ｂ１〜ｂ７を読み出し、当該デジタルコンテンツ情報に基づきデジタルコンテンツ画像ａ１〜ａ７、ｂ１〜ｂ７を編集用のコンテンツ表示領域６０表示するための制御を行うようにしてもよい。
【０１０７】
図１６〜図１８は、背景デジタルコンテンツ情報の自動貼り付け処理について説明するための図である。
【０１０８】
図１６は、絵本の複数の頁にＲＦＩＤを付加して各頁に応じたデジタルコンテンツ画像を表示する構成について説明するための図である。
【０１０９】
４１０は絵本４００の第１頁に付加されているＲＦＩＤタグである。当該タグには媒体識別ＩＤ「Ｃ００１」が記憶されている。４１２は絵本４００の第３頁に付加されているＲＦＩＤタグである。当該タグには媒体識別ＩＤ「Ｃ００３」が記憶されている。
【０１１０】
図１７は、絵本の複数の頁にＲＦＩＤを付加する場合の媒体識別ＩＤ４６０と対応するデジタルコンテンツ情報４７０の対応テーブル４５０である。デジタルコンテンツ情報４７０には、背景のデジタルコンテンツ情報４７２とキャラクタのデジタルコンテンツ情報４７４が識別可能に記憶されている。
【０１１１】
同図に示すようにここで媒体識別ＩＤ「Ｃ００１」には、背景としてデジタルコンテンツ情報ｃ１，ｃ２，ｃ３，ｃ４が記憶され、媒体識別ＩＤ「Ｃ００２」には、背景としてデジタルコンテンツ情報ｃ１が記憶されている。
【０１１２】
このような場合、受信した媒体識別ＩＤに基づき当該媒体識別ＩＤ４６０に関連づけて記憶された背景デジタルコンテンツ情報４７２を読み出し、当該背景デジタルコンテンツ情報に基づき背景画像を生成して表示する制御を行うようにしてもよい。
【０１１３】
例えば図１８に示すように、表示部に表示される作業スペース７０に予め背景画像を表示するようにしても良い。このようにすると、例えば白紙の状態から画像を生成する場合にくらべ、ユーザーの作業が軽減され、子供でも容易に絵本が作れるような仕組みを提供することができる。
【０１１４】
図１９は本実施の形態の絵本画像作成支援方法について説明するためのフローチャート図である。
【０１１５】
まず絵本又はその頁に関連づけて用意されたデジタルコンテンツ情報を、絵本又はその頁と対応付けられた媒体識別ＩＤに関連づけて記憶させる（ステップＳ１０）。
【０１１６】
次に所与の情報伝達媒体に対応付けて用意された無線タグが送信した媒体識別ＩＤに基づき当該媒体識別ＩＤに関連づけて記憶されたデジタルコンテンツ情報を読み出し、当該デジタルコンテンツ情報に基づきデジタルコンテンツ画像を表示する（ステップＳ２０）。
【０１１７】
次に作成指示入力に基づきデジタルコンテンツ画像を用いてユーザー作成画像を生成するユーザー作成画像生成処理を行い作成したユーザー作成画像を保存する（ステップＳ３０）。
【０１１８】
次に保存したユーザー作成画像に基づき、絵本を作成する（ステップＳ４０）。
【０１１９】
以上本発明を適用した好適な実施の形態について説明してきたが、本発明の適用は上述した実施例に限定されない。
【０１２０】
本発明は前述した各実施形態に限定されるものではなく、本発明の要旨の範囲内、または、特許請求の範囲の均等範囲内で、各種の変形実施が可能である。
【０１２１】
上記実施の形態の説明で用いた図においては、画面が広くて子供には隅々まで手が届きにくいような図となっているが、実際に製品化する際には、例えば図２０に示すように子供の背を考慮した画面５００の大きさを設定する。子供でも手を伸ばせば画面５００の隅々まで手が届く程度に画面の大きさや配置を設定することが好ましい。
【図面の簡単な説明】
【０１２２】
【図１】本実施の形態の画像作成支援システムの機能ブロック図の一例である。
【図２】本実施の形態の画像作成支援システムの概要について説明するための図。
【図３】本実施の形態の画像作成支援システムの概要について説明するための図。
【図４】デジタルコンテンツ情報記憶部に記憶されているデジタルコンテンツ情報について説明するための図。
【図５】デジタルコンテンツ情報記憶部に記憶されているデジタルコンテンツ情報について説明するための図。
【図６】絵本の複数の頁にＲＦＩＤを付加して各頁に応じたデジタルコンテンツ画像を表示する構成について説明するための図。
【図７】絵本の複数の頁にＲＦＩＤを付加する場合の媒体識別ＩＤと対応するデジタルコンテンツ識別の対応テーブル。
【図８】編集用のコンテンツ表示領域のデジタルコンテンツ画像を用いてユーザー作成画像を生成するユーザー作成画像生成処理について説明するための図。である。
【図９】編集用のコンテンツ表示領域のデジタルコンテンツ画像を用いてユーザー作成画像を生成するユーザー作成画像生成処理について説明するための図。である。
【図１０】編集用のコンテンツ表示領域のデジタルコンテンツ画像を用いてユーザー作成画像を生成するユーザー作成画像生成処理について説明するための図。である。
【図１１】編集用のコンテンツ表示領域のデジタルコンテンツ画像を用いてユーザー作成画像を生成するユーザー作成画像生成処理について説明するための図。である。
【図１２】編集用のコンテンツ表示領域のデジタルコンテンツ画像を用いてユーザー作成画像を生成するユーザー作成画像生成処理について説明するための図。である。
【図１３】編集用のコンテンツ表示領域のデジタルコンテンツ画像を用いてユーザー作成画像を生成するユーザー作成画像生成処理について説明するための図。である。
【図１４】本置き場に他の絵本をおいた場合の画面の様子について説明するための図である。
【図１５】本置き場に複数の本をおいて複数の本に対応して用意されているデジタルコンテンツ画像を用いて行う様子を示した図。
【図１６】背景デジタルコンテンツ情報の自動貼り付け処理について説明するための図。
【図１７】背景デジタルコンテンツ情報の自動貼り付け処理について説明するための図。
【図１８】背景デジタルコンテンツ情報の自動貼り付け処理について説明するための図。
【図１９】本実施の形態の絵本画像作成支援方法について説明するためのフローチャート図。
【図２０】子供載せた毛を考慮した画面の設定例である。
【符号の説明】
【０１２３】
１００  画像作成支援システム、１１０  処理部、１２０  デジタルコンテンツ画像表示制御部、１３０  ユーザー作成画像生成処理部、１６０  操作部、１７０  記憶部、１７２  デジタルコンテンツ情報記憶部、１７４  ユーザー作成画像情報記憶部、１８０  情報記憶媒体、１９０  表示部、１９２  音出力部
【図１】
2008129736.tif 000003
【図２】
2008129736.tif 000004
【図３】
2008129736.tif 000005
【図４】
2008129736.tif 000006
【図５】
2008129736.tif 000007
【図６】
2008129736.tif 000008
【図７】
2008129736.tif 000009
【図８】
2008129736.tif 000010
【図９】
2008129736.tif 000011
【図１０】
2008129736.tif 000012
【図１１】
2008129736.tif 000013
【図１２】
2008129736.tif 000014
【図１３】
2008129736.tif 000015
【図１４】
2008129736.tif 000016
【図１５】
2008129736.tif 000017
【図１６】
2008129736.tif 000018
【図１７】
2008129736.tif 000019
【図１８】
2008129736.tif 000020
【図１９】
2008129736.tif 000021
【図２０】
2008129736.tif 000022